(57)【特許請求の範囲】
【請求項１】
２つ折された底テープと表裏２枚の胴部材の両端縁を側部シールし、下部端縁を船底形状に底部シールしてなる自立性袋の開口部より揮散性物質からなる内容物を充填し、開口部をシールしてなる、少なくとも一方の前記胴部材に設けた分離層を介してその胴部材が２層に分離し、分離後の胴部材に前記内容物が揮散可能とする開孔して形成できる穴状の切り込み線を有する自立性袋体であって、
前記自立性袋の胴部材が第１の基材層／分離層／第２の基材層からなり、前記第１の基材層は少なくとも耐突刺し強度を有する基材を含み、第２の基材層は分離層側にポリエチレンを配し中間層としてアルミニウム箔もしくは延伸基材を設けその最内層にシーラント層を含み、前記自立性袋の開口部側の所定の位置の表裏２枚の胴部材がシールされた開口部シール部の端縁から突出するように所定の幅と長さの未シールタブ部が延設されて、シーラント層側から第１の基材層を貫通しないハーフカット線が開口部シール部の端縁近傍に設けられて、前記タブ部に指を掛けてこのタブ部を介して前記ハーフカット線が切っ掛けとして穴状の切り込み線の部分が分離層に付着して第１の基材層／分離層が第２の基材層から分離し、分離後の胴部材の第２の基材層を貫通する前記内容物が揮散可能とする穴を有することを特徴とする自立性袋体。
【請求項２】
前記自立性袋の開口部側の所定の位置の表裏２枚の胴部材がシールされた開口部シール部の端縁の位置に、シーラント層側から第１の基材層を貫通しないハーフカット線が前記開口部シールと平行に１本形成されていることを特徴とする請求項１記載の自立性袋体。
【請求項３】
前記自立性袋の開口部側の所定の位置の表裏２枚の胴部材がシールされた開口部シール部の端縁近傍のシール内側の位置に、シーラント層側から第１の基材層を貫通しないハーフカット線が前記開口部シールと平行に１本以上形成されていることを特徴とする請求項１記載の自立性袋体。
【請求項４】
前記シーラント層側から第１の基材層を貫通しないハーフカット線が、シーラント層側から第２の基材層および分離層を貫通し、第１の基材層を貫通しないハーフカット線であることを特徴とする請求項１〜３のいずれか１項に記載の自立性袋体。
【請求項５】
前記シーラント層側から第１の基材層を貫通しないハーフカット線が、シーラント層側から第２の基材層まで貫通し、第１の基材層を貫通しないハーフカット線であることを特
徴とする請求項１〜３のいずれか１項に記載の自立性袋体。
【発明の詳細な説明】
【技術分野】
【０００１】
本発明は、消臭剤、芳香剤、除湿剤、香料等の揮散性物質からなる内容物を充填するのに好適な自立性袋体に関し、さらに詳細には、使用時に、自立性袋体を構成する胴部材に設けた分離層を介してその胴部材が２層に分離し、分離後の胴部材に揮散性物質からなる内容物が蒸散可能とする穴を有する自立性袋体である。
【背景技術】
【０００２】
従来、消臭剤、芳香剤、除湿剤、香料等の容器は、ポリプロピレン（ＰＰ）、ポリスチレン（ＰＳ）、ポリエチレンテレフタレート（ＰＥＴ）などのプラスチック成形容器が主流で、容器本体に加え、流通用のバリア蓋材、香料飛散量調整用のネット材、被せ蓋材など他部材も多く使われていた。
【０００３】
しかし、最近の環境対策として、プラスチック使用量の減容化が望まれるようになり、詰め替え用の内容物製品がスタンディングパウチ容器で販売されるようになった。この詰め替え用パウチでは、使用済みの内容物を容器本体から取り除いた後にパウチを開封して内容物を詰替えるものだが、内容物の多くは吸水性ゲルであり、使用後には本体容器内に固着し、水で洗浄すると吸水して膨潤し、廃棄処理し難いという問題がある。また本体容器への詰替えの際、こぼれて衣服や家具材への汚染・臭いの移行が発生し、内容物が露出可能な容器形態となる為、誤飲の危険性も高いという問題がある。
【０００４】
上述の問題を回避する容器として、本体容器に袋ごと詰め替え可能、もしくは本体容器として使用可能な袋体容器として（株）白元の「ぷるんぱ」がある。この商品はスタンディングパウチ袋体入りのゲル状芳香剤で、パウチ上部を開封すると内容物ゲルの上部に飛散量調整フィルムが内装されているもので、開封後、本体容器として使用可能である。しかしこの袋体は内装フィルムを付与するための特殊な製袋方式を行なわねばならず、また内容物ゲルの体積が減るに従いパウチ開口部が閉じ、安定した飛散量を得られなくなるという問題点がある。
【０００５】
２層に分離可能な袋体については特許文献１がある。この技術は入浴剤や芳香剤などの充填袋として使用される袋体に関するもので、袋体のシールエッジよりフィルム材を２層に分離することが可能で、外層を剥離すると貫通孔が形成された内袋が現れるものである。しかしこの技術では、特に剥離きっかけに関する記述はなく、また内袋への貫通孔が外袋とのラミ前に行なわれることから、袋体に設けた印刷絵柄と貫通穴のピッチを合わせることが出来ず、スタンディングパウチ袋体の胴部材として利用した場合、内容物ゲルからの離水成分の流出を回避できるような貫通孔の配置が出来ない。
【特許文献１】特開２００１−８０６４８号公報
【発明の開示】
【発明が解決しようとする課題】
【０００６】
本発明は、上記の課題を解決するためになされたものであって、使用時、自立性袋体を構成する胴部材に設けた分離層を介してその胴部材が容易に２層に分離し、分離後の胴部材に揮散性物質からなる内容物が揮散可能とする穴を生じ、その穴から内容物の香料や薬効成分等の揮散成分が有効に揮散し、流通過程では内容物自体および香料や薬効成分等の揮散成分が飛散することのない、通常の製袋方式を採用して製袋可能な自立性袋体を提供することを目的とする。
【課題を解決するための手段】
【０００７】
上記の目的を達成するための解決手段として、
請求項１に係る発明は、２つ折された底テープと表裏２枚の胴部材の両端縁を側部シールし、下部端縁を船底形状に底部シールしてなる自立性袋の開口部より揮散性物質からなる内容物を充填し、開口部をシールしてなる、少なくとも一方の前記胴部材に設けた分離層を介してその胴部材が２層に分離し、分離後の胴部材に前記内容物が揮散可能とする開孔して形成できる穴状の切り込み線を有する自立性袋体であって、
前記自立性袋の胴部材が第１の基材層／分離層／第２の基材層からなり、前記第１の基材層は少なくとも耐突刺し強度を有する基材を含み、第２の基材層は分離層側にポリエチレンを配し中間層としてアルミニウム箔もしくは延伸基材を設けその最内層にシーラント層を含み、前記自立性袋の開口部側の所定の位置の表裏２枚の胴部材がシールされた開口部シール部の端縁から突出するように所定の幅と長さの未シールタブ部が延設されて、シーラント層側から第１の基材層を貫通しないハーフカット線が開口部シール部の端縁近傍に設けられて、前記タブ部に指を掛けてこのタブ部を介して前記ハーフカット線が切っ掛けとして穴状の切り込み線の部分が分離層に付着して第１の基材層／分離層が第２の基材層から分離し、分離後の胴部材の第２の基材層を貫通する前記内容物が揮散可能とする穴を有することを特徴とする自立性袋体である。
【０００８】
請求項２に係る発明は、前記自立性袋の開口部側の所定の位置の表裏２枚の胴部材がシールされた開口部シール部の端縁の位置に、シーラント層側から第１の基材層を貫通しないハーフカット線が前記開口部シールと平行に１本形成されていることを特徴とする請求項１記載の自立性袋体である。
【０００９】
請求項３に係る発明は、前記自立性袋の開口部側の所定の位置の表裏２枚の胴部材がシールされた開口部シール部の端縁近傍のシール内側の位置に、シーラント層側から第１の基材層を貫通しないハーフカット線が前記開口部シールと平行に１本以上形成されていることを特徴とする請求項１記載の自立性袋体である。
【００１０】
請求項４に係る発明は、前記シーラント層側から第１の基材層を貫通しないハーフカット線が、シーラント層側から第２の基材層および分離層を貫通し、第１の基材層を貫通しないハーフカット線であることを特徴とする請求項１または２記載の自立性袋体である。
【００１１】
請求項５に係る発明は、前記シーラント層側から第１の基材層を貫通しないハーフカット線が、シーラント層側から第２の基材層まで貫通し、第１の基材層を貫通しないハーフカット線であることを特徴とする請求項１または２記載の自立性袋体である。
【発明の効果】
【００１２】
本発明により、使用時、自立性袋体を構成する胴部材に設けた分離層を介してその胴部材が容易に２層に分離し、分離後の胴部材に揮散性物質からなる内容物が揮散可能とする穴を生じ、その穴から内容物の香料や薬効成分等の揮散成分が有効に揮散し、流通過程では内容物自体および香料や薬効成分等の揮散成分が飛散することのない、通常の製袋方式を採用して製袋可能な自立性袋体を提供することができる。
【００１３】
本発明の自立性袋体の袋は、従来のプラスチック成型容器よりも飛躍的に樹脂使用量を低減することが可能である。また、充填する際の様々な付属パーツのセッティング設備費用の低減も可能である。
【００１４】
また、詰め替え用容器として用いた場合、内容物の処分を袋容器ごと行なえる為、詰替え作業に手間取らず、また、誤飲や内容物こぼれによる汚染を回避することが出来る。
【００１５】
また、ハーフカット加工により、分離切っ掛け線や揮散成分の揮散穴を付与することにより、例えば、従来の熱針穴加工に比較して加工コストが安く、穴のサイズ、配置の自由
度も大きいことから、使用時に内容物の離水成分が穴から染み出てこないような穴配置にすることも可能である。
【００１６】
また、熱針穴加工法の様に、ラミネーション前に穴を設ける場合にはラミネーション時に穴周辺に凹凸が出来、香料など溜まり易く、デラミネーションの発生要因にもなるが、ラミネーション後のハーフカット加工ではフィルム内面に凹凸が無く、香料が局所的に溜まることを回避できる為、内容物耐性も良好である。
【００１７】
分離層の樹脂構成により、シール部と非シール部の強度差を設け、流通時の内容物流出を防ぎ、凝集破壊痕跡が残る為のいたずら防止機能も付加することができる。また、ＰＰベースの分離層とすることにより、シール部における分離層の潰れを防ぎ、良好な剥離強度を保つことが出来る。
【００１８】
第２の基材層の耐熱性等の樹脂構成により、ハーフカット線を切っ掛けに剥離する際、シール熱によるハーフカット線の再融着を防ぐことが出来る。
【発明を実施するための最良の形態】
【００１９】
以下、本発明の好ましい実施形態について図面を参照して説明する。図１は、本発明の自立性袋体についてその一例を示す模式平面図であり、（ａ）は胴部材を分離前の状態、（ｂ）は胴部材を分離開始の状態を示す。図２は、図１で示す本発明の自立性袋体の胴部材を分離後の状態を示す模式平面図である。図３は、図１で示す本発明の自立性袋体の胴部材を分離前の外観模式斜視図である。図４は、図１で示す本発明の自立性袋体を構成する胴部材を分離する際に、指を掛ける未シールタブ部付近の一部を示す模式斜視図である。図５は、本発明の自立性袋体の胴部材および底テープ材についてその一例を示す模式断面図である。図６は、図１で示す本発明の自立性袋体のＸ−Ｙ方向の一部を示す模式断面図であり、（ａ）は胴部材を分離前の状態、（ｂ）は胴部材を分離開始の状態を示す。図７は、本発明の他の例としての図１で示す自立性袋体のＸ−Ｙ方向の一部を示す模式断面図であり、（ａ）は胴部材を分離前の状態、（ｂ）は胴部材を分離開始の状態を示す。図８は、  本発明の別の例としての図１で示す自立性袋体のＸ−Ｙ方向の一部を示す胴部材を分離前の状態の模式断面図である。
【００２０】
本発明の自立性袋体についてその一例として、図１（ａ）で示すように、２つ折された底テープ２と表裏２枚の胴部材１（１），１（２）の両端縁を側部シール３し、下部端縁を船底形状に底部シール５してなる自立性袋の開口部より揮散性物質からなる内容物を充填し、開口部をシールしてなる開口部シール部４からなり、少なくとも一方の前記胴部材に設けた分離層を介してその胴部材が２層に分離し、分離後の胴部材に前記内容物が揮散可能とする開孔して形成できる穴状の切り込み線６を有する自立性袋体であって、その自立性袋体Ａの外観斜視図を図３に示した。そして、前記胴部材１が、図５で示すように、第１の基材層１ａ／分離層１ｂ／第２の基材層１ｃからなり、前記第１の基材層１ａは少なくとも耐突刺し強度を有する基材を含み、第２の基材層１ｃは１層以上の基材とその最内層にシーラント層を含み、前記自立性袋Ａの開口部側の所定の位置の表裏２枚の胴部材がシールされた開口部シール部４の端縁から突出するように所定の幅と長さの未シールタブ部７が延設されて、シーラント層側から第１の基材層を貫通しないハーフカット線８が開口部シール部の端縁に、この開口部シール部と平行に１本設けられて、図３で示す前記未シールタブ部７（７ａ，７ｂ）に指（図示せず）を掛けて、このタブ部７を介して前記ハーフカット線８が切っ掛けとして図１（ｂ）で示すように、胴部材１（１），１（２）が２層に分離開始し、穴状の切り込み線６の部分が分離層１ｂに付着して第１の基材層１ａ／分離層１ｂが第２の基材層１ｃから分離し、この時、穴状の切り込み線６の部分が分離層１ｂに付着して分離し、図２で示すように、分離後の胴部材１の第２の基材層１ｃを貫通する前記内容物が揮散可能とする穴９を有することを特徴とする自立性袋体Ａ′であ
る。
【００２１】
図１で示した本発明の自立性袋体Ａについて、さらに、図１で示す本発明の自立性袋体のＸ−Ｙ方向の一部を示す模式断面図を参照して本発明の自立性袋体Ａを説明する。
【００２２】
図６（ａ）で示すように、自立性袋体を構成する表裏２枚の胴部材１が、第１の基材層１ａ／分離層１ｂ／第２の基材層１ｃからなり、前記第１の基材層１ａは少なくとも耐突刺し強度を有する基材を含み、第２の基材層１ｃは１層以上の基材とその最内層にシーラント層を含み、前記自立性袋Ａの開口部側の所定の位置の表裏２枚の胴部材がシールされた開口部シール部４の端縁から突出するように所定の幅と長さの未シール部１０を有するタブ部７が延設されて、一方の表胴部材１（１）側にシーラント層側から第１の基材層を貫通しないハーフカット線として、シーラント層から第２の基材層１ｃおよび分離層１ｂを貫通して第１の基材層を貫通しないハーフカット線８が開口部シール部４の端縁に、この開口部シール部と平行に１本設けられている。そして、胴部材１（１），１（２）が２層に分離した際に、表胴部材１（１）側の第２の基材層１ｃを貫通する開孔可能とする穴状の切り込み線６が複数個形成されている。
【００２３】
そして、図４で示す、前記未シールタブ部７（７ａ，７ｂ）に指（図示せず）を掛けて、図６（ｂ）に示すように、このタブ部７を介して前記ハーフカット線８が切っ掛けとして胴部材１（１），１（２）が２層に分離開始し、図５で示す第１の基材層１ａ／分離層１ｂが第２の基材層１ｃから分離し、開孔可能とする複数個の穴状の切り込み線６が分離層１ｂに付着して開孔された穴９が形成され、この穴９から消臭剤、芳香剤、除湿剤、香料等の内容物が揮散することが可能な自立性袋体である。
【００２４】
上記では、シーラント層側から第１の基材層を貫通しないハーフカット線として、シーラント層側から第２の基材層１ｃおよび分離層１ｂを貫通し、第１の基材層１ａを貫通しないハーフカット線を設けた自立性袋体を例示したが、本発明は、図７に示すように、シーラント層側から第１の基材層を貫通しないハーフカット線として、シーラント層側から第２の基材層１ｃまで貫通し、分離層１ｂおよび第１の基材層を貫通しないハーフカット線８を設けた自立性袋体Ｃとすることもできる。
【００２５】
また、前記自立性袋の開口部側の所定の位置の表裏２枚の胴部材がシールされた開口部シール部の端縁近傍のシール内側の位置に、シーラント層側から第１の基材層を貫通しないハーフカット線が前記開口部シールと平行に１本以上形成することもできる。例えば、図８に示すように、開口部シール部４の端縁近傍のシール内側にシーランと層から第２の基材層１ｃを貫通する３本のハーフカット線８，８，８を設けた自立性袋体Ｄとすることもできる。
【００２６】
本発明の自立性袋体において、第２の基材層１ｃは、分離層１Ｂ側にポリエチレン（ＰＥ層）を配し、中間層とししてアルミニウム（ＡＬ）箔もしくは延伸ポリエチレンテレフタレート（Ｏ−ＰＥＴ）、延伸ナイロン（Ｏ−ＮＹ）、延伸プロピレン（Ｏ−ＰＰ）等の延伸基材層を設けることができ、最内層にはシーラント層を配置する。第２の基材層１ｃを貫通する深さのハーフカット加工により香料や薬効成分などの揮散量調整穴を設けている。
【００２７】
本発明の自立性袋体において、分離層１ｂは、第２の基材層１ｃのＰＥ層と熱融着可能なヒートシール層、ポリマーアロイ層を第２の基材層１ｃ側に有する単層または多層のイージーピールシーラント層からなり、隣接するＰＥ層とは非シール部で分離層／ＰＥ層間剥離、シール部で分離層の凝集破壊で剥離する構成とすることもできる。その剥離強度は、Ｔ字剥離強度で表すと非シール部では０．１〜０．５Ｎ／１５ｍｍの範囲、シール部では０．５〜１０Ｎ／１５ｍｍの範囲が望ましい。
【００２８】
前記のポリマーアロイ層はＰＰを主要樹脂成分（混合比率は５０％以上）とし、少なくとも第２成分を含むブロックコポリマーＰＰ層でＰＥまたはポリオレフィン系エラストマーを第２成分、他にポリブチレン（ＰＢ）、エチレン−αオレフィン共重合体等を第３成分として含むことも可能である。多層の場合、ポリマーアロイ層は第２の基材１ｃ側に配置されており、ベース層／アロイ層の厚みの比は９／１〜１／１、ベース樹脂層はポリマーアロイ層の第１成分と同じＰＰ、ベース樹脂層とポリマーアロイ層の融点はベース層の方が高い構成とすることができる。本構成の場合、分離箇所は非シール部では分離層１ｂ／第２の基材層１ｃの層間剥離でＴ字剥離強度で表すと０．１〜０．５Ｎ／１５ｍｍの範囲、シール部では０．５〜２Ｎ／１５ｍｍの範囲である。
【００２９】
本発明の自立性袋体において、第１の基材層１ａは、Ｏ−ＰＥＴ、Ｏ−ＮＹ、Ｏ−ＰＰ等延伸基材の単層もしくは多層構成で、透明蒸着フィルム（例えば、凸版印刷（株）製商品名「ＧＬ蒸着フィルム」等）、アルミニウム（ＡＬ）箔等のバリア層の積層によりバリア性付与や印刷層による加飾も可能である。また、紙基材を使用することで剛性、遮光性、質感を付与できる。
【実施例】
【００３０】
以下、具体的実施例を挙げて本発明を説明する。
【００３１】
＜実施例１＞
第１の基材層／分離層／第２の基材層からなる層間をポリウレタン接着剤を使用してドライラミネーション法により積層して胴部材を作製し、内容物を充填し第２の基材層を貫通するハーフカット加工を施し、製袋後手がけ部シール領域内にハーフカット線からなる切っ掛け線を形成した内容物を充填した本発明の自立性袋体を得た。そして、第１の基材層、分離層、第２の基材層に使用した材料を表１に示す。
【００３２】
＜実施例２＞
表１に示す、第１の基材層、分離層、第２の基材層に使用した材料を使用して、実施例１と同様にして本発明の自立性袋体を得た。
【００３３】
＜実施例３＞
表１に示す、第１の基材層、分離層、第２の基材層に使用した材料を使用して、実施例１と同様にして本発明の自立性袋体を得た。
【００３４】
＜比較例１＞
表１に示す、第１の基材層、分離層、第２の基材層に使用した材料を使用して、実施例１と同様にして自立性袋体を得た。
【００３５】
＜比較例２＞
表１に示す、第１の基材層、分離層、第２の基材層に使用した材料を使用して、実施例１と同様にして自立性袋体を得た。
【００３６】
＜比較例３＞
表１に示す、第１の基材層、分離層、第２の基材層に使用した材料を使用して、実施例１と同様にして自立性袋体を得た。
【００３７】
＜比較例４＞
表１に示す、第１の基材層、分離層、第２の基材層に使用した材料を使用して、実施例
１と同様にして自立性袋体を得た。
【００３８】
＜比較例５＞
表１に示す、第１の基材層、分離層、第２の基材層に使用した材料を使用して、実施例１と同様にして自立性袋体を得た。
【００３９】
＜比較例６＞
表１に示す、第１の基材層、分離層、第２の基材層に使用した材料を使用して、図９に示す構成の自立性袋体を得た。
【００４０】
【表１】
0005621179.tif 000002
【００４１】
上記実施例１〜３および比較例１〜６で得られた自立性袋体を下記に示す評価方法に基づいて、耐性、剥離性、実用性について評価した結果を表２に示す。
【００４２】
〈耐性評価〉
充填品を４０℃で２ヶ月間保存、層間のデラミネーション発生しない場合は○と表記した。
【００４３】
〈剥離性評価〉
保存後、指掛け部より胴部材１を分離、分離層以上の層が適切な剥離強度で剥離可能で、袋体に残った基材層２に揮散調整用の穴が開いたサンプルを○と表記した。
【００４４】
〈実用性評価〉
剥離後のサンプルの底テープ面を下面に静置し、室温で１ヶ月間放置した。内容物の離水成分の染み出しがないサンプルを○と表記した。
【００４５】
【表２】
0005621179.tif 000003
【００４６】
表２より、実施例１〜３で得られた本発明の自立性袋体は、耐性、剥離性、実用性のいずれにおいても優れたものであった。
【図面の簡単な説明】
【００４７】
【図１】本発明の自立性袋体についてその一例を示す模式平面図であり、（ａ）は胴部材を分離前の状態、（ｂ）は胴部材を分離開始の状態を示す。
【図２】図１で示す本発明の自立性袋体の胴部材を分離後の状態を示す模式平面図である。
【図３】図１で示す本発明の自立性袋体の胴部材を分離前の外観模式斜視図である。
【図４】図１で示す本発明の自立性袋体を構成する胴部材を分離する際に、指を掛ける未シールタブ部付近の一部を示す模式斜視図である。
【図５】本発明の自立性袋体の胴部材および底テープ材についてその一例を示す模式断面図である。
【図６】図１で示す本発明の自立性袋体のＸ−Ｙ方向の一部を示す模式断面図であり、（ａ）は胴部材を分離前の状態、（ｂ）は胴部材を分離開始の状態を示す。
【図７】本発明の他の例としての図１で示す自立性袋体のＸ−Ｙ方向の一部を示す模式断面図であり、（ａ）は胴部材を分離前の状態、（ｂ）は胴部材を分離開始の状態を示す。
【図８】本発明の別の例としての図１で示す自立性袋体のＸ−Ｙ方向の一部を示す胴部材を分離前の状態の模式断面図である。
【図９】本発明の比較例としての自立性袋体の一例を示す平面図である。
【符号の説明】
【００４８】
Ａ、Ａ′、Ｂ、Ｂ′、Ｃ、Ｄ・・・自立性袋体
１・・・胴部材
１（１）・・・表胴部材
１（２）・・・裏胴部材
１ａ・・・第１の基材層
１ｂ・・・分離層
１ｃ・・・第２の基材層
２・・・底テープ材
３・・・側部シール
４・・・上部シール（開口部シール部）
５・・・底部シール
６・・・開孔可能とする穴状の切込み線
７・・・タブ部
８・・・ハーフカット線
９・・・穴
１０・・・未シール部
１１・・・熱針穴加工による穴
【図１】
0005621179.tif 000004
【図２】
0005621179.tif 000005
【図３】
0005621179.tif 000006
【図４】
0005621179.tif 000007
【図５】
0005621179.tif 000008
【図６】
0005621179.tif 000009
【図７】
0005621179.tif 000010
【図８】
0005621179.tif 000011
【図９】
0005621179.tif 000012